(57)【要約】      （修正有）【課題】シャッターブラケット取付位置の短時間での墨出しを可能にする型紙を提供する。【解決手段】型紙１２には、シャッターを収容するシャッターケースを建物躯体１０に取り付けるためのシャッターブラケット２０の墨出し位置２２及び固定穴位置２３，２４，２５，２６が表示されている。より好ましくは、型紙１２には、施工関連事項が表示されている。【選択図】図３
2016199958.tif 000002
【特許請求の範囲】
【請求項１】
シャッターを収容するシャッターケースを建物躯体に取り付けるためのシャッターブラケットの墨出し位置及び固定穴位置が表示された型紙。
【請求項２】
施工関連事項が表示されている請求項１に記載の型紙。
【請求項３】
建物躯体に、請求項１又は請求項２に記載の型紙を取り付ける工程と、
前記型紙に表示された固定穴位置にねじを仮締めする工程と、
前記シャッターブラケットを前記ねじに掛け、前記型紙に表示された墨出し位置で仮支持状態とする工程と、
前記ねじを本締めして、前記シャッターブラケットを前記建物躯体に固定する工程と、
を有するシャッターブラケット取付施工方法。
【請求項４】
建物躯体に、請求項１又は請求項２に記載の型紙を取り付ける工程と、
前記型紙に表示された墨出し位置に合わせてシャッターブラケットを配置し、前記型紙に表示された固定穴位置にねじを締め込んで、前記シャッターブラケットを前記建物躯体に固定する工程と、
を有するシャッターブラケット取付施工方法。
【発明の詳細な説明】
【技術分野】
【０００１】
本発明は、シャッターブラケット取付施工方法及び型紙に関する。
【背景技術】
【０００２】
シャッター装置の取付施工方法において、シャッター収納部の左右両側部に設けられる一対のシャッターブラケットを、建物躯体に固定する手順が開示されている（特許文献１参照）。
【先行技術文献】
【特許文献】
【０００３】
【特許文献１】特開２０１２−１３２１９５号公報
【発明の概要】
【発明が解決しようとする課題】
【０００４】
建物躯体にシャッターブラケットを取り付ける際には、該建物躯体に、直尺やスケール等を用いて取付位置の墨出しを行うが、これは、シャッターブラケット取付の工程において、最も熟練度を必要とする作業である。
【０００５】
シャッターブラケットは、墨出し位置にねじ固定される。その際、シャッターブラケットを手で支えながらねじ固定するか、可能であればシャコ万力でシャッターブラケットを建物躯体に仮固定してねじ固定する。シャッターブラケットを手で支えながらの作業は、シャッターブラケットが安定せず、作業性が低下する。また、シャッターブラケットが墨出し位置からずれると、施工品質上問題となる。
【０００６】
本発明は、施工品質の安定を図りつつ、シャッターブラケット取付位置の短時間での墨出しを可能にすることを目的とする。
【課題を解決するための手段】
【０００７】
請求項１に係る型紙は、シャッターを収容するシャッターケースを建物躯体に取り付けるためのシャッターブラケットの墨出し位置及び固定穴位置が表示されている。
【０００８】
この型紙を建物躯体に取り付けることにより、シャッターブラケットの墨出し位置及び固定穴位置が特定されるので、シャッターブラケット取付位置の短時間での墨出しが可能となる。これにより、施工時間の短縮化を図ることができる。
【０００９】
請求項２の発明は、請求項１に記載の型紙において、施工関連事項が表示されている。
【００１０】
この型紙に、施工関連事項が表示されているので、該型紙を建物躯体に取り付けることにより、シャッターブラケットの取付前の高さ確認、施工手順の確認、シャッターブラケットの取付後の仕上がりの確認等を容易に行うことができる。
【００１１】
請求項３に係るシャッターブラケット取付施工方法は、建物躯体に、請求項１又は請求項２に記載の型紙を取り付ける工程と、前記型紙に表示された固定穴位置にねじを仮締めする工程と、前記シャッターブラケットを前記ねじに掛け、前記型紙に表示された墨出し位置で仮支持状態とする工程と、前記ねじを本締めして、前記シャッターブラケットを前記建物躯体に固定する工程と、を有する。
【００１２】
このシャッターブラケット取付施工方法では、建物躯体に型紙を取り付けることにより、シャッターブラケットの墨出し位置及び固定穴位置が特定される。この固定穴位置にねじを仮締めしてから、該ねじにシャッターブラケットを掛け、型紙に表示された墨出し位置で仮支持状態としてから、ねじを本締めするので、シャッターブラケットの取付作業の安定を図ることができる。
【００１３】
請求項４に係るシャッターブラケット取付施工方法は、建物躯体に、請求項１又は請求項２に記載の型紙を取り付ける工程と、前記型紙に表示された墨出し位置に合わせてシャッターブラケットを配置し、前記型紙に表示された固定穴位置にねじを締め込んで、前記シャッターブラケットを前記建物躯体に固定する工程と、を有する。
【００１４】
このシャッターブラケット取付施工方法では、建物躯体に型紙を取り付けることにより、シャッターブラケットの墨出し位置及び固定穴位置が特定される。また、シャッターブラケットのねじ固定の際に、該墨出し位置にシャッターブラケットの位置を合わせることで、シャッターブラケットの位置ずれが生じ難い。このため、施工品質を安定させることができる。
【発明の効果】
【００１５】
本発明に係るシャッターブラケット取付施工方法及び型紙によれば、施工品質の安定を図りつつ、シャッターブラケット取付位置の短時間での墨出しを可能にすることができる、という優れた効果が得られる。
【図面の簡単な説明】
【００１６】
【図１】本実施形態に係るシャッターブラケット取付施工方法において、型紙を建物躯体の基準位置に合わせて展開して行く状態を示す正面図である。
【図２】型紙を建物躯体に取り付けた状態を示す正面図である。
【図３】型紙に表示された固定穴位置にねじを仮締めする工程を示す斜視図である。
【図４】シャッターブラケットをねじに掛け、型紙に表示された墨出し位置で仮支持状態とする工程と、ねじを本締めして、シャッターブラケットを建物躯体に固定する工程とを示す斜視図である。
【図５】取付治具を示す斜視図である。
【図６】鉄骨に取付治具を介してガイドレールを仮固定した状態を示す図である。
【図７】（Ａ）は、取付治具によりガイドレールを仮固定した状態で、ガイドレールの一方の側面を鉄骨に溶接する工程を示す断面図である。（Ｂ）は、ガイドレールの他方の側面を鉄骨に溶接する工程を示す断面図である。
【発明を実施するための形態】
【００１７】
以下、本発明を実施するための形態を図面に基づき説明する。図１から図４において、本実施形態に係るシャッターブラケット取付施工方法は、例えば、工程Ｓ１〜Ｓ４を有している。
【００１８】
（工程Ｓ１）
図１、図２において、工程Ｓ１は、建物躯体１０に型紙１２を取り付ける工程である。型紙１２は、例えば長尺状に構成されており、使用前はロール状に巻かれるか、又は折り畳まれている。型紙１２の所定位置、例えば長手方向の中心には、位置決め用の基準線１２Ｃが表示されている。建物躯体１０の基準位置、例えば該建物躯体１０の長手方向の中心ＣＬの位置を予め墨出ししておき、図２に示されるように、中心ＣＬに型紙１２の基準線１２Ｃを合致させつつ、型紙１２を展開する。建物躯体１０が木材の場合、虫ピンやタッカー等を用いて、型紙１２を建物躯体１０に固定することができる。建物躯体１０が鉄骨の場合、例えば磁石（図示せず）を用いて型紙１２を建物躯体１０に固定することができる。
【００１９】
建物躯体１０は、建物の開口部１４の両側方に設けられ上下方向に延びる鉛直面１６と、建物の開口部１４の上方に設けられ左右方向に延びる鉛直面１８とを有している。鉛直面１８は、例えば上下に離間して一対設けられ、両端が鉛直面１６に夫々連なっている。また、鉛直面１６は、上下の鉛直面１８を上下方向に連結している。なお、鉛直面１６，１８は、柱状部材に限られず、建物躯体１０における壁（図示せず）の一部であってもよい。
【００２０】
（型紙１２）
ここで、型紙１２について説明する。図２に示されるように、本実施形態に係る型紙１２には、シャッターブラケット２０の墨出し位置２２と、例えば４箇所の固定穴位置２３，２４，２５，２６と、施工関連事項３０とが表示されている。墨出し位置２２は、シャッターブラケット２０の取付位置を示すものであり、例えば、輪郭表示部２２Ａと、支持部表示部２２Ｂと、ガイド表示部２２Ｃとを有している。
【００２１】
図３において、輪郭表示部２２Ａは、シャッターブラケット２０における、後述する取付部２０Ａの輪郭を示しており、例えば上下に長い矩形とされている。支持部表示部２２Ｂは、シャッターブラケット２０の縦壁部２０Ｂに設けられた、後述する支持部３２の位置を示しており、該支持部３２の輪郭を型紙１２に投影した形状とされている。そして、ガイド表示部２２Ｃは、シャッターブラケット２０に設けられた、後述するシャッターカーテンガイド４０の位置を示しており、該シャッターカーテンガイド４０の輪郭を型紙１２に投影した形状とされている。
【００２２】
シャッターブラケット２０は、シャッターカーテン（図示せず）を収容するシャッターケース４２（図４）を建物躯体１０に取り付けるための支持部材であり、シャッターケース４２の長手方向（左右方向）の両端に夫々設けられている。このシャッターブラケット２０は、建物躯体１０に固定される取付部２０Ａと、該取付部２０Ａから手前側に立設された縦壁部２０Ｂと、支持部３２と、シャッターカーテンガイド４０とを有している。支持部３２は、シャッターカーテンの巻取り軸（図示せず）を支持する部材であり、縦壁部２０Ｂの略中央部に設けられている。シャッターカーテンガイド４０は、縦壁部２０Ｂの下端部における取付部２０Ａ寄りに設けられ、シャッターケース４２（図４）からのシャッターカーテンの出入りを案内する部位である。
【００２３】
シャッターブラケット２０を建物躯体１０に取り付けた状態において、支持部３２及びシャッターカーテンガイド４０は、正面視で取付部２０Ａから張り出している。このため、墨出し位置２２における支持部表示部２２Ｂ及びガイド表示部２２Ｃも、輪郭表示部２２Ａから張り出して表示されている。これにより、シャッターブラケット２０の取付の向きの誤りや、左右のシャッターブラケット２０の取違えが生じ難くなっている。
【００２４】
なお、墨出し位置２２は、取付部２０Ａの輪郭に限られず、例えば取付部２０Ａの四隅の位置を示すものや、上下方向及び左右方向の中心位置等を示すもの等、シャッターブラケット２０の取付位置を示すものであればよい。
【００２５】
固定穴位置２３，２４，２５，２６は、シャッターブラケット２０の取付部２０Ａに形成された固定穴３３，３４，３５，３６に対応する位置を示すものである。シャッターブラケット２０を墨出し位置２２に合わせて配置したときに、固定穴３３，３４，３５，３６が固定穴位置２３，２４，２５，２６に配置されるようになっている。また、固定穴位置２３，２４，２５，２６には、後述する固定用のねじ４３，４４，４５，４６が夫々締め込まれる。
【００２６】
固定穴３３，３４，３５，３６は、シャッターブラケット２０の取付部２０Ａに、例えば上下に直列に形成されている。このうち、例えば上から３番目に位置する固定穴３５は、小径部の下側に大径部が連なる、所謂だるま穴とされている。小径部は、ねじ４５の頭部が通過できない大きさに形成され、大径部は、ねじ４５の頭部が通過可能な大きさに形成されている。
【００２７】
図２において、施工関連事項３０は、型番、施工手順、施工における注意事項等、施工手順書に通常記載される事項であり、文字、図形、記号、色彩等を用いて適宜表示される。
【００２８】
なお、型紙１２の材質は紙に限られず、可撓性を有する樹脂製のシートであってもよい。また、型紙１２に防水性を有する素材を用いてもよい。型紙１２が、防水性を有していれば、建物躯体１０の内外での水の浸入を抑制できるからである。更に、型紙１２は、１枚で構成されるものに限られず、複数枚に分割されていてもよい。
【００２９】
（工程Ｓ２〜Ｓ４）
ここから、工程Ｓ２〜Ｓ４について説明する。図３において、工程Ｓ２では、型紙１２に表示された例えば固定穴位置２５にねじ４５を取り付ける。このねじ４５の締込みは、該ねじ４５の頭部が型紙１２に当接する前の段階で止めておく。つまり、ねじ４５は、仮締め状態とされる。
【００３０】
図４において、工程Ｓ３では、シャッターブラケット２０をねじ４５に掛け、型紙１２に表示された墨出し位置２２で仮支持状態とする。これにより、シャッターブラケット２０を手で支える必要がなくなる。なお、シャッターブラケット２０の取付の向きは、墨出し位置２２における支持部表示部２２Ｂ及びガイド表示部２２Ｃにより確認することができる。
【００３１】
そして、工程Ｓ４では、ねじ４５を本締めすると共に、ねじ４３，４４，４６を、固定穴位置２３，２４，２６に締め込むことによって、シャッターブラケット２０を建物躯体１０に固定する作業が完了する。
【００３２】
このように、本実施形態に係るシャッターブラケット取付施工方法では、建物躯体１０に型紙１２を取り付けることにより、シャッターブラケット２０の墨出し位置２２及び固定穴位置２３，２４，２５，２６が特定される。したがって、シャッターブラケット取付位置の短時間での墨出しが可能となる。このため、施工品質の安定を図ると共に、施工時間の短縮化を図ることができる。
【００３３】
また、固定穴位置２３，２４，２５，２６にねじ４５を仮締めしてから、該ねじ４５にシャッターブラケット２０を掛け、型紙１２に表示された墨出し位置２２で仮支持状態としてから、ねじ４３〜４６を本締めする。したがって、シャッターブラケット２０の取付作業の安定を図ることができる。
【００３４】
更に、型紙１２には、施工関連事項３０が表示されているので、該型紙１２を建物躯体１０に取り付けることにより、シャッターブラケット２０の取付前の高さ確認、施工手順の確認、シャッターブラケット２０の取付後の仕上がりの確認等を容易に行うことができる。換言すれば、型紙１２を、施工手順書の代わりに用いることができる。
【００３５】
［ガイドレール５０の取付］
図５から図７において、シャッターカーテン（図示せず）の開閉移動を案内するガイドレール５０の取付方法の一例について説明する。ガイドレール５０は、シャッターカーテンの幅方向両端部が夫々スライド自在に挿入され、該シャッターカーテンの開閉移動を案内する、例えば鉄製の部材である。ガイドレール５０の上端は、シャッターブラケット２０におけるシャッターカーテンガイド４０に差し込まれ、ガイドレール５０の下端は、建物躯体１０の基礎部分（図示せず）に、モルタル仕上げ等により埋め込まれる。
【００３６】
本取付方法では、ガイドレール５０を鉄骨５２に固定する際に、該ガイドレール５０の位置調整及び仮固定を行うために、治具５４が用いられる。図５に示されるように、治具５４は、長辺部５６と、短辺部５８と、リブ６０とを一体的に有している。この長辺部５６、短辺部５８及びリブ６０は、例えば樹脂により一体成形されている。
【００３７】
長辺部５６及び短辺部５８は、互いに垂直に結合されており、これによって直角の角部６２が形成されている。リブ６０は、例えば一対設けられ、各々例えば台形に形成されている。長辺部５６と短辺部５８とは、その幅方向Ｗの両端部において、リブ６０により夫々連結されている。リブ６０の長辺部５６側の外表面には、目盛６４が設けられている。長辺部５６及び短辺部５８におけるリブ６０と反対側の面には、例えば板状の磁石７６，７８が全面的に取り付けられている。
【００３８】
長辺部５６及び磁石７６には、貫通孔６６が例えば２箇所形成されている。この貫通孔６６を用いることで、治具５４を、建物躯体１０に対して、例えばねじ固定できるようになっている。また、短辺部５８及び磁石７８には、貫通孔６８が例えば１箇所形成されている。貫通孔６８は、例えば幅方向Ｗに延びる長孔６８Ａと、該長孔６８Ａの中央部に形成された大径孔６８Ｂとを有している。建物躯体１０に、大径孔６８Ｂよりも小さく、長孔６８Ａよりも大きい頭部を有する例えばねじ（図示せず）を取り付けておき、該頭部を大径孔６８Ｂに通し、治具５４を幅方向Ｗにスライドさせることにより、該ねじに治具５４を引っ掛けることができるようになっている。また、貫通孔６８を用いることで、短辺部５８を建物躯体１０に、例えばねじ固定することも可能となっている。なお、治具５４において、長辺部５６の長さは、短辺部５８の長さと同等であってもよい。
【００３９】
図６、図７において、本取付方法では、この治具５４を用いて、ガイドレール５０を鉄骨５２に固定する。鉄骨５２は、ガイドレール５０の取付位置の近傍において上下方向に延設されている。この鉄骨５２に、治具５４の短辺部５８を、磁石７８の磁力により取り付ける。そして、治具の長辺部５６に、磁石７６の磁力により、ガイドレール５０の側部を取り付ける。これにより、ガイドレール５０が鉄骨５２に仮固定される。複数の治具５４を用いることで、仮固定状態を安定させることができる。
【００４０】
この際、治具５４が直角の角部６２を有しているので、鉄骨５２に対するガイドレール５０の側部の直角を容易に設定できる。また、ガイドレール５０の上端は、シャッターブラケット２０のシャッターカーテンガイド４０に差し込まれるが、ガイドレール５０は治具５４の磁力により鉄骨５２に仮固定されているに過ぎないので、その差込み量を容易に調整することができる。また、図７（Ａ）に示されるように、治具５４の目盛６４を利用することで、鉄骨５２とガイドレール５０との間隔Ｄを容易に調整することができる。なお、ガイドレール５０と鉛直面１６との間の隙間は、例えばガイドレール５０に取り付けられたスペーサ７４により、所定の大きさに設定される。
【００４１】
ガイドレール５０の位置調整が完了したところで、ガイドレール５０の一方の側部と鉄骨５２とを、例えば鉄筋７０の溶接により結合する。次に、治具５４を取り外し、図７（Ｂ）に示されるように、ガイドレール５０の他方の側部と鉄骨５２とを、例えば鉄筋７２の溶接により結合する。これにより、ガイドレール５０が鉄骨５２に固定される。
【００４２】
このように、本取付方法では、磁石７６，７８が取り付けられると共に目盛６４が設けられた治具５４を用いるため、鉄骨５２に対するガイドレール５０の位置調整及び仮固定が容易である。したがって、シャコ万力等によりガイドレール５０の仮固定を行う場合と比較して、ガイドレール５０の位置調整と仮固定に要する時間を低減できる。また、ガイドレール５０の溶接時に、該ガイドレール５０を手で支える必要がないので、作業性及び施工品質が向上する。
【００４３】
なお、ガイドレール５０が固定される部位は、鉄骨５２に限られず、図示しない鉄筋等であってもよい。
【００４４】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４５】
例えば、型紙１２に、位置決め用の基準線１２Ｃが表示されているものとしたが、基準線１２Ｃの表示がなくてもよい。また、型紙１２に施工関連事項３０が表示されているものとしたが、施工関連事項３０の表示がなくてもよい。
【００４６】
シャッターブラケット取付施工方法は、上記した工程Ｓ１と、シャッターブラケット２０を建物躯体１０に固定する工程（図示せず）と、を有するものであってもよい。この工程は、型紙１２に表示された墨出し位置２２に合わせてシャッターブラケット２０を配置し、型紙１２に表示された固定穴位置２３，２４，２５，２６にねじ４３，４４，４５，４６を締め込んで、シャッターブラケット２０を建物躯体１０に固定する工程である。
【００４７】
このシャッターブラケット取付施工方法では、建物躯体１０に型紙１２を取り付けることにより、シャッターブラケット２０の墨出し位置２２及び固定穴位置２３，２４，２５，２６が特定される。また、シャッターブラケット２０のねじ４５固定の際に、該墨出し位置２２にシャッターブラケット２０の位置を合わせることで、シャッターブラケット２０の位置ずれが生じ難い。若しくは、シャッターブラケット２０の位置ずれの有無を、目視で確認しながら、該シャッターブラケット２０の取付を行うことができる。このため、施工品質を安定させることができる。
【符号の説明】
【００４８】
１０    建物躯体
１２    型紙
２０    シャッターブラケット
２２    墨出し位置
２３    固定穴位置
２４    固定穴位置
２５    固定穴位置
２６    固定穴位置
３０    施工関連事項
４２    シャッターケース
４３    ねじ
４４    ねじ
４５    ねじ
４６    ねじ
Ｓ１    工程
Ｓ２    工程
Ｓ３    工程
Ｓ４    工程
【図１】
2016199958.tif 000003
【図２】
2016199958.tif 000004
【図３】
2016199958.tif 000005
【図４】
2016199958.tif 000006
【図５】
2016199958.tif 000007
【図６】
2016199958.tif 000008
【図７】
2016199958.tif 000009